(57)【特許請求の範囲】
【請求項１】
第１の方向への移動と前記第１の方向と反対の第２の方向への移動の往復移動が可能に設けられた可動体と、
前記可動体に対して前記第１の方向側に連結されて、前記可動体に対して相対的に前記第１の方向への移動と前記第２の方向への移動の往復移動が可能とされた可動接触子と、
前記可動体に対して前記可動接触子を前記第１の方向に向けて付勢する付勢部と、
前記可動接触子の前記第１の方向への移動を規制する第１の状態と、前記可動接触子の前記第１の方向への移動を許容する第２の状態とに切替え可能なラッチ部と、
前記可動体および前記可動接触子を内部に収容し、前記第１の方向側となる前記可動接触子の一端側が挿通可能な開口が形成された収容部と、
前記収容部の外側であって、前記可動接触子に対して前記第１の方向側に設けられた固定接触子と、
前記可動接触子が前記第１の方向に移動する際に前記可動接触子とともに移動する移動部と、を備え、
前記可動体および前記可動接触子は、前記可動接触子が前記固定接触子から離間した初期位置から前記第１の方向に移動することで、前記可動接触子が前記固定接触子に接触した投入位置に移動し、
前記可動体および前記可動接触子が前記初期位置から前記投入位置に向けて移動する過程において、前記可動体および前記可動接触子が一定の距離を移動してから前記第１の状態の前記ラッチ部によって前記可動接触子の移動が規制され、前記可動接触子の移動が規制されてから前記付勢部の付勢力に抗して前記可動体がさらに前記第１の方向に移動した際に前記ラッチ部が前記第２の状態に切り替えられて前記可動接触子の前記第１の方向への移動が許容され、
前記収容部は、前記移動部が移動する範囲において第１の領域と前記第１の領域よりも前記第１の方向側となる第２の領域とを内部に有し、
前記第１の領域の内径よりも前記第２の領域の内径のほうが小さいことを特徴とする開閉装置。
【請求項２】
前記ラッチ部は、前記収容部の内部に固定された第１の磁石と、前記可動体および前記可動接触子が前記初期位置にある場合に前記第１の磁石に対して前記第１の方向側から吸着された金属体と、を有し、
前記可動接触子は、前記ラッチ部によって前記第１の方向への移動が規制されている場合に前記金属体に対して前記第１の磁石を避けた部分に前記第２の方向側から当接する第２の磁石を有し、
前記金属体が前記移動部であることを特徴とする請求項１に記載の開閉装置。
【請求項３】
前記第２の領域は、前記第１の方向に向かうにしたがって前記内径が小さくなるテーパ形状となっていることを特徴とする請求項１または２に記載の開閉装置。
【請求項４】
前記開口と前記可動接触子との隙間を閉塞する閉塞部をさらに備えることを特徴とする請求項１から３のいずれか１つに記載の開閉装置。
【請求項５】
前記移動部には、前記第１の方向側から前記第２の方向側に貫通する貫通孔が形成されていることを特徴とする請求項１から４のいずれか１つに記載の開閉装置。
【請求項６】
前記可動接触子には、前記第１の方向側の端部から前記第２の状態で前記移動部よりも前記第２の方向側となる部分に貫通する貫通路が形成され、
前記収容部の壁面のうち、前記第１の領域と前記第２の領域との境界となる壁面には、前記収容部の内部と外部とを連通させる連通孔が形成されていることを特徴とする請求項１から５のいずれか１つに記載の開閉装置。
【請求項７】
前記可動体を移動させる駆動装置をさらに備えることを特徴とする請求項１から６のいずれか１つに記載の開閉装置。
【発明の詳細な説明】
【技術分野】
【０００１】
本発明は、固定接触子と可動接触子とを備える開閉装置に関するものである。
【背景技術】
【０００２】
開閉装置では、固定接触子と可動接触子との接触および離間によって、回路の接続および断路が行われる。開閉装置には、機器点検時の主回路の接地用として用いられる接地開閉器がある。特許文献１に開示されているように、主回路を接地する場合、接地側の可動接触子を移動させて、主回路側の固定接触子に接触させる。可動接触子を固定接触子に接触させる場合には、主回路が予め断路されて固定接触子に電圧が印加されていない状態とされる。
【先行技術文献】
【特許文献】
【０００３】
【特許文献１】特開２００９−１６３９４６号公報
【発明の概要】
【発明が解決しようとする課題】
【０００４】
このような開閉装置には、主回路が断路されておらず閉路された状態のまま、可動接触子を固定接触子に誤って接触させた場合であっても、安全に投入可能であるとする責務が要求されるものがある。この責務を果たすためには、可動接触子と固定接触子との間でのアークの発生時間を短縮する必要がある。そのために、可動接触子を高速に移動させることで、アークが発生してから可動接触子が固定接触子に接触するまでの時間の短縮化が図られていた。可動接触子を高速に移動させるためには、大きな駆動力を発生させる操作装置が必要となる。そのため、操作装置の大型化が問題となってしまう。また、高速に移動する可動接触子が固定接触子に接触する際の衝突荷重によって、可動接触子または固定接触子が破損してしまうおそれがある。【０００５】
本発明は、上記に鑑みてなされたものであって、アークの発生時間の短縮化を図りつつ操作装置の小型化および接触子の保護を図ることができる開閉装置を得ることを目的とする。
【課題を解決するための手段】
【０００６】
上述した課題を解決し、目的を達成するために、本発明は、第１の方向への移動と第１の方向と反対の第２の方向への移動の往復移動が可能に設けられた可動体と、可動体に対して第１の方向側に連結されて、可動体に対して相対的に第１の方向への移動と第２の方向への移動の往復移動が可能とされた可動接触子と、可動体に対して可動接触子を第１の方向に向けて付勢する付勢部と、可動接触子の第１の方向への移動を規制する第１の状態と、可動接触子の第１の方向への移動を許容する第２の状態とに切替え可能なラッチ部と、可動体および可動接触子を内部に収容し、第１の方向側となる可動接触子の一端側が挿通可能な開口が形成された収容部と、収容部の外側であって、可動接触子に対して第１の方向側に設けられた固定接触子と、可動接触子が第１の方向に移動する際に可動接触子とともに移動する移動部と、を備える開閉装置である。可動体および可動接触子は、可動接触子が固定接触子から離間した初期位置から第１の方向に移動することで、可動接触子が固定接触子に接触した投入位置に移動する。可動体および可動接触子が初期位置から投入位置に向けて移動する過程において、可動体および可動接触子が一定の距離を移動してから第１の状態のラッチ部によって可動接触子の移動が規制され、可動接触子の移動が規制されてから付勢部の付勢力に抗して可動体がさらに第１の方向に移動した際にラッチ部が第２の状態に切り替えられて可動接触子の第１の方向への移動が許容される。収容部は、移動部が移動する範囲において第１の領域と第１の領域よりも第１の方向側となる第２の領域とを内部に有する。第１の領域の内径よりも第２の領域の内径のほうが小さい。
【発明の効果】
【０００７】
本発明にかかる開閉装置によれば、アークの発生時間の短縮化を図りつつ操作装置の小型化および接触子の保護を図ることができるという効果を奏する。
【図面の簡単な説明】
【０００８】
【図１】本発明の実施の形態１にかかる開閉装置の概略構成を示す断面図
【図２】実施の形態１にかかる開閉装置での投入動作を説明する断面図
【図３】実施の形態１にかかる開閉装置での投入動作を説明する断面図
【図４】実施の形態１にかかる開閉装置での投入動作を説明する断面図
【図５】実施の形態１にかかる開閉装置での投入動作を説明する断面図
【図６】実施の形態１の変形例１にかかる開閉装置の概略構成を示す断面図
【図７】実施の形態１の変形例１にかかる開閉装置の概略構成を示す断面図であって、金属体およびシール部が第２の領域を通過する状態を示す図
【図８】実施の形態１の変形例２にかかる開閉装置の概略構成を示す断面図
【図９】実施の形態１の変形例２にかかる開閉装置の概略構成を示す断面図であって、金属体およびシール部が第２の領域を通過する状態を示す図
【図１０】実施の形態１の変形例３にかかる開閉装置の概略構成を示す断面図
【図１１】実施の形態１の変形例３にかかる開閉装置の概略構成を示す断面図であって、金属体およびシール部が第１の領域を通過する状態を示す図
【図１２】実施の形態１の変形例３にかかる開閉装置の概略構成を示す断面図であって、金属体およびシール部が第２の領域を通過する状態を示す図
【図１３】本発明の実施の形態２にかかる開閉装置の概略構成を示す断面図
【図１４】実施の形態２にかかる開閉装置での投入動作を説明する断面図
【図１５】実施の形態２にかかる開閉装置での投入動作を説明する断面図
【図１６】実施の形態２にかかる開閉装置での投入動作を説明する断面図
【発明を実施するための形態】
【０００９】
以下に、本発明の実施の形態にかかる開閉装置を図面に基づいて詳細に説明する。なお、この実施の形態によりこの発明が限定されるものではない。
【００１０】
実施の形態１．
図１は、本発明の実施の形態１にかかる開閉装置の概略構成を示す断面図である。図２〜図５は、実施の形態１にかかる開閉装置での投入動作を説明する断面図である。接地開閉器である開閉装置１は、六フッ化硫黄（ＳＦ６）ガスなどの電気的な絶縁性および消弧性を有する絶縁ガスが封入されたタンク（図示を省略）内に設けて使用される。開閉装置１は、可動体２、可動接触子３、ばね５、フレーム４、ラッチ部６、固定接触子７、レバー８、およびモータ１４を備える。
【００１１】
可動体２は、第１の方向である矢印Ｘに示す方向への移動と、第１の方向と反対の第２の方向である矢印Ｙに示す方向への移動の往復移動が可能に設けられている。可動体２には、矢印Ｘに示す方向側となる端部から矢印Ｙに示す方向に向けて延びる穴２ａが形成されている。可動体２の穴２ａの内部には、ピン９が設けられている。可動体２には、可動体２の移動方向と垂直な方向に延びる溝２ｂが形成されている。
【００１２】
可動接触子３は、可動体２に対して矢印Ｘに示す方向側に連結されている。より具体的には、可動接触子３のうち矢印Ｙに示す方向側となる端部が、可動体２の穴２ａに差し込まれている。可動接触子３は、穴２ａに差し込まれていることで、可動体２に対して相対的に矢印Ｘに示す方向への移動と矢印Ｙに示す方向への移動の往復移動が可能とされている。
【００１３】
可動接触子３のうち矢印Ｙに示す方向側となる端部には、可動接触子３の移動方向に沿って延びる溝３ａが形成されている。溝３ａには、可動体２の穴２ａの内部に設けられたピン９が差し込まれている。ピン９が溝３ａの端部に引っ掛かることで、可動接触子３が矢印Ｘに示す方向に移動しすぎて、穴２ａから抜け落ちてしまうことが防がれる。可動接触子３には、移動方向と垂直な方向に張り出す張出部３ｂが形成されている。なお、以下の説明において、可動接触子３のうち張出部３ｂよりも矢印Ｘに示す方向側となる部分を先端部と称し、張出部３ｂよりも矢印Ｙに示す方向側となる部分を根元部と称する。すなわち、上述した溝３ａは、可動接触子３の根元部に形成されている。また、可動接触子３の先端部は、可動接触子３が矢印Ｘに示す方向に移動することで固定接触子７に接触する接点となる。張出部３ｂに対して矢印Ｘに示す方向側には、第２の磁石３１が設けられている。
【００１４】
ばね５は、可動体２の矢印Ｘに示す方向側の端面と、可動接触子３の張出部３ｂとの間に設けられた圧縮コイルばねである。ばね５は、可動体２に対して可動接触子３を矢印Ｘに示す方向に向けて付勢する付勢部である。ばね５の付勢力によって可動接触子３が矢印Ｘに示す方向に移動させられても、上述したように可動接触子３の溝３ａの端部にピン９が引っ掛かるため、可動接触子３は可動体２の穴２ａから抜け落ちない。
【００１５】
フレーム４は、可動体２および可動接触子３を内部に収容する収容部である。フレーム４には、可動接触子３の先端部が挿通可能な開口４ａが形成されている。可動接触子３の先端部は、可動接触子３が矢印Ｘに示す方向に移動することで開口４ａを通してフレーム４の外部に突出する。
【００１６】
ラッチ部６は、フレーム４の内側に固定された第１の磁石６１と、金属体６２とを有して構成される。ラッチ部６を構成する第１の磁石６１と金属体６２とは、図１に示すように可動体２および可動接触子３が矢印Ｙに示す方向に移動した位置にある状態において、可動接触子３の張出部３ｂよりも矢印Ｘに示す方向側に設けられる。なお、図１に示す可動接触子３が固定接触子７から離間した位置での可動体２および可動接触子３の位置を初期位置と称する。
【００１７】
金属体６２は、可動体２および可動接触子３が初期位置にある場合に、第１の磁石６１に対して矢印Ｘに示す方向側から吸着されている。金属体６２は、矢印Ｘに示す方向に沿って見た場合に環状の形状となっている。金属体６２には、可動接触子３の先端部は通過可能であるが、可動接触子３に設けられた第２の磁石３１は通過できない通過口が形成されている。環状の形状である金属体６２の外周縁には、シール部６３が設けられている。シール部６３は、金属体６２の外周縁を全周にわたって覆っている。シール部６３は、例えばゴムで形成される。金属体６２とシール部６３とで、可動接触子３が矢印Ｘに示す方向に移動する際に可動接触子３とともに移動する移動部を構成する。
【００１８】
可動接触子３に設けられた第２の磁石３１は、初期位置から矢印Ｘに示す方向に一定の距離だけ可動接触子３が移動した際に、金属体６２に対して第１の磁石６１を避けた部分に矢印Ｙに示す方向側から当接する。
【００１９】
図２に示すように、可動接触子３が初期位置から矢印Ｘに示す方向に移動していくと、可動接触子３の第２の磁石３１が金属体６２に当接する。金属体６２は第１の磁石６１に吸着されているため、可動接触子３のそれ以上の矢印Ｘに示す方向への移動が規制される。このように、矢印Ｘに示す方向への可動接触子３の移動を規制できるラッチ部６の状態を第１の状態と称する。すなわち、第１の磁石６１に金属体６２が吸着された状態が第１の状態である。なお、初期位置では金属体６２に第２の磁石３１は当接しておらず、ラッチ部６は第１の状態ではあるものの可動接触子３の移動は規制されていない。
【００２０】
次に、矢印Ｘに示す方向への可動接触子３の移動が規制された状態で、ばね５の付勢力に抗してさらに矢印Ｘに示す方向に可動体２が移動することで、図３に示すようにばね５が圧縮されて力が蓄勢される。ばね５に蓄勢された力が、第１の磁石６１と金属体６２との吸着力を超えると、図４に示すように金属体６２が第１の磁石６１から離れて、矢印Ｘに示す方向への可動接触子３の移動が許容される。このような、金属体６２が第１の磁石６１から離れて矢印Ｘに示す方向への可動接触子３の移動が許容される状態を、第２の状態と称する。
【００２１】
レバー８は、フレーム４の内部に設けられており、軸８ａを中心に回転可能な棒状の部材である。レバー８には、可動体２の溝２ｂに差し込まれるピン８ｂが形成されている。ピン８ｂが溝２ｂに差し込まれたレバー８の回転に応じて、可動体２が矢印Ｘに示す方向または矢印Ｙに示す方向に直線的に移動する。
【００２２】
軸８ａには第１のプーリー１１が連結されている。レバー８は、第１のプーリー１１に連動して回転する。第１のプーリー１１は、第１のベース１５に支持されている。第１のプーリー１１から離間した位置には、第２のプーリー１２が設けられている。第２のプーリー１２は、モータ１４によって回転される。第２のプーリー１２は、第２のベース１６に支持されている。第１のベース１５と、第２のベース１６との間には、２本の可撓性外被１３ａが設けられている。可撓性外被１３ａは、可撓性で円筒形状となっており、内部にワイヤ１３ｂが挿通されている。可撓性外被１３ａとワイヤ１３ｂとでワイヤ機構１３が構成される。可撓性外被１３ａのそれぞれは、一端側が第１のベース１５に固定され、他端側が第２のベース１６に固定されている。可撓性外被１３ａの内部に挿通されたワイヤ１３ｂは、可撓性外被１３ａの延びる方向に沿ってスライド移動可能となっている。また、ワイヤ１３ｂは、円環形状となっており、第１のプーリー１１と第２のプーリー１２とに掛けられている。第２のプーリー１２が回転すると、ワイヤ１３ｂがスライド移動することで、第２のプーリー１２の回転に連動して第１のプーリー１１が回転する。したがって、モータ１４によって第２のプーリー１２が回転されると、第１のプーリー１１およびレバー８が回転し、可動体２が移動する。このように、モータ１４は、可動体２を移動させる駆動部の機能を発揮する。操作装置では、第１のプーリー１１と第２のプーリー１２との間で可撓性外被１３ａの形状に合わせてワイヤ１３ｂがスライド移動可能である。そのため、可撓性外被１３ａの形状を変化させても第２のプーリー１２の回転に連動して第１のプーリー１１を回転させることができる。したがって、可撓性外被１３ａの形状を変化させることで様々な位置に第２のプーリー１２およびモータ１４を設置することが可能となっている。
【００２３】
固定接触子７は、可動接触子３に対して矢印Ｘに示す方向側に設けられている。固定接触子７は、複数の接点部７ａを有している。図５に示すように、複数の接点部７ａの間に可動接触子３の先端部が差し込まれることで、固定接触子７と可動接触子３とが接触した状態となる。開閉装置１が、固定接触子７が主回路側であり、可動接触子３が接地側である接地開閉器であれば、固定接触子７と可動接触子３とが接触することで主回路が接地される。図５に示すように、固定接触子７に可動接触子３が接触した状態での可動体２および可動接触子３の位置を投入位置と称する。
【００２４】
次に、フレーム４の内部の形状について説明する。まず、初期位置から投入位置に可動接触子３が移動する過程で、移動部である金属体６２とシール部６３とが移動する範囲において、フレーム４の内部には第１の領域７１と、第１の領域７１よりも矢印Ｘに示す方向側となる第２の領域７２とが設けられる。第１の領域７１および第２の領域７２は、矢印Ｘに示す方向に沿って見た場合に、円筒形状となっている。
【００２５】
第１の領域７１の内径は第２の領域７２に向けて小さくなるテーパ形状となっている。第２の領域７２の内径は、第１の領域７１の内径よりも小さく、金属体６２とシール部６３とを含む移動部の外径と等しい。ここでいう、第２の領域７２の内径が移動部の外径と等しいとの概念には、第２の領域７２の内径が移動部の外径よりもわずかに大きい場合、および第２の領域７２の内径が移動部の外径よりもわずかに小さい場合も含まれる。第２の領域７２の内径が移動部の外径よりもわずかに大きい場合、移動部が第２の領域７２を通過するときには第２の領域７２の内面と移動部のシール部６３との間には隙間が形成される。一方、第２の領域７２の内径が移動部の外径と完全に等しいか移動部の外径よりもわずかに小さい場合、移動部が第２の領域７２を通過するときには第２の領域７２の内面と移動部のシール部６３とが密着する。移動部が第２の領域７２にある場合には、第２の領域７２の内面とシール部６３との間を絶縁ガスが通過しにくくなっている。
【００２６】
また、移動部が第１の領域７１を通過するときの第１の領域７１の内面と移動部のシール部６３との隙間は、移動部が第２の領域７２を通過するときの第２の領域７２の内面と移動部のシール部６３との隙間よりも大きくなる。なお、第１の領域７１の内径をテーパ形状とせずに均一の内径を有する形状として、第２の領域７２との間に段差を設けてもよいが、フレーム４の内部での電界の集中を緩和する観点からは、第１の領域７１と第２の領域７２とは、段差を設けずに滑らかに接続させることが好ましい。移動部が第１の領域７１にある場合には、第１の領域７１の内面とシール部６３との間に形成された隙間を絶縁ガスが円滑に通過可能となっている。
【００２７】
次に、可動体２および可動接触子３が初期位置から投入位置に移動する投入動作について説明する。図１に示す初期位置から、図２に示すように可動体２および可動接触子３が矢印Ｘに示す方向に一定の距離移動することで、可動接触子３に設けられた第２の磁石３１がラッチ部６である金属体６２に当接する。ラッチ部６は、金属体６２が第１の磁石６１に吸着された状態である第１の状態であり、可動接触子３のそれ以上の矢印Ｘに示す方向への移動が規制される。
【００２８】
次に、図３に示すように、矢印Ｘに示す方向への可動接触子３の移動が規制された状態で、ばね５の付勢力に抗してさらに矢印Ｘに示す方向に可動体２が移動することで、ばね５が圧縮されて力が蓄勢される。ばね５に蓄勢された力が、第１の磁石６１と金属体６２との吸着力を超えると、図４に示すように金属体６２が第１の磁石６１から離れた第２の状態に切り替えられて、矢印Ｘに示す方向への可動接触子３の移動が許容される。そして、さらに矢印Ｘに示す方向に可動接触子３が移動して、図５に示すように可動接触子３の先端部が接点部７ａの間に差し込まれて、可動接触子３と固定接触子７とが接触することで投入動作が完了する。このとき、可動体２および可動接触子３は投入位置にある。
【００２９】
ここで、図３に示す状態から図５に示す状態に至る過程での可動接触子３の移動速度について説明する。矢印Ｘに示す方向への可動接触子３の移動が許容されると、ばね５に蓄勢された力の解放によって可動接触子３がそれまでの可動体２の移動速度に比べて速い速度で矢印Ｘに示す方向に移動しようとする。
【００３０】
金属体６２とシール部６３とが第２の領域７２に到達するまで、すなわち図３に示す状態から図４に示す状態に至る過程では、第１の領域７１の内面とシール部６３との間に形成された隙間を通して絶縁ガスの移動が円滑に行われる。したがって、金属体６２とシール部６３とが矢印Ｘに示す方向に移動することで、金属体６２よりも矢印Ｘに示す方向側でフレーム４と金属体６２とに囲まれた空間の体積が縮小しても、第１の領域７１の内面とシール部６３との間に形成された隙間を通して絶縁ガスが円滑に移動可能であるため、可動接触子３は高速で移動する。
【００３１】
一方、金属体６２とシール部６３とが第２の領域７２を通過する間、すなわち図４に示す状態から図５に示す状態に至るまでは、第２の領域７２の内面とシール部６３との間を絶縁ガスが通過しにくくなっている。そのため、金属体６２とシール部６３とが矢印Ｘに示す方向に移動することで、金属体６２よりも矢印Ｘに示す方向側でフレーム４と金属体６２とに囲まれた空間の体積が縮小する際に絶縁ガスが圧縮される。この絶縁ガスが圧縮される際の反力によって、可動接触子３の移動速度は減速される。そのため、金属体６２およびシール部６３が第１の領域７１を通過する過程での可動接触子３の移動速度よりも、金属体６２およびシール部６３が第２の領域７２を通過する過程での可動接触子３の移動速度のほうが低速となる。
【００３２】
金属体６２とシール部６３とが、第１の領域７１と第２の領域７２との境界に至る位置を、可動接触子３と固定接触子７とが接触する直前となるように構成することで、可動接触子３と固定接触子７とが接触する直前に可動接触子３の移動速度を低減させることが可能となる。
【００３３】
次に、可動体２および可動接触子３が投入位置から初期位置に移動する開放動作について説明する。投入位置から矢印Ｙに示す方向に可動体２が移動すると、ピン９に引掛けられて可動接触子３も矢印Ｙに示す方向に移動する。これにより、固定接触子７から可動接触子３が離間する。このとき、金属体６２は第２の磁石３１に吸着されて、図４に示すように可動接触子３とともに移動する。また、金属体６２は、図３に示すように第１の磁石６１に当接することで、それ以上の矢印Ｙに示す方向への移動が規制される。
【００３４】
さらに、可動体２および可動接触子３が矢印Ｙに示す方向に移動することで、図１に示すように金属体６２から第２の磁石３１は離れ、可動体２および可動接触子３が初期位置に戻る。このとき、金属体６２は第１の磁石６１に吸着されており、ラッチ部６は第１の状態となっている。
【００３５】
以上説明したように構成された開閉装置１では、図３に示すように可動接触子３の移動が規制されてばね５に力が蓄勢されるまでは、可動体２および可動接触子３ともに高速移動は行われない。そして、図４に示すようにラッチ部６が第２の状態に切り替えられることで可動接触子３が高速移動を行う。
【００３６】
初期位置における可動接触子３と固定接触子７との距離Ｌ１は、固定接触子７に接続された主回路に定常状態を超えた異常電圧が印加された場合、例えば主回路への雷撃があった場合等であっても、可動接触子３と固定接触子７との間にアークが発生しにくい距離に設定されている。また、ラッチ部６によって移動が規制された状態、すなわち図２および図３に示す状態における可動接触子３と固定接触子７との距離Ｌ２は、固定接触子７に接続された主回路に定常状態の電圧が印加されている場合にアークが発生しない距離であって、距離Ｌ１よりも短い距離に設定されている。
【００３７】
したがって、固定接触子７との距離がＬ２となる位置まで初期位置から可動接触子３を移動させ、その後ばね５に力を蓄勢する過程では、主回路に定常状態の電圧が印加されている状態であればアークの発生のおそれがないため、可動体２および可動接触子３を低速で移動させてもよい。そのため、可動体２を移動させる駆動力も低く抑えることが可能となる。これにより、可動体２を移動させる操作装置を、第１のプーリー１１、第２のプーリー１２、ワイヤ機構１３、およびモータ１４を用いて構成することが可能となり、モータ１４とレバー８との間を剛体で連結させた操作装置に比べて小型化を図ることが可能となる。また、可撓性外被１３ａおよびワイヤ１３ｂの長さを変えること、および可撓性外被１３ａの形状を変化させることで、第２のプーリー１２およびモータ１４を様々な位置に配置することが可能となる。これにより、複数の操作装置が備える第２のプーリー１２およびモータ１４を集約して配置することでメンテナンス性の向上を図ることが可能となる。なお、第２のプーリー１２に複数のワイヤ１３ｂを掛けることで、１つのモータ１４で複数の第１のプーリー１１を回転させること、すなわち１つのモータ１４で複数の可動体２および可動接触子３を移動させることが可能となり、さらなるメンテナンス性の向上および操作装置の小型化を図ることが可能となる。なお、図２〜図５では、操作装置の記載を省略している。
【００３８】
また、可動接触子３と固定接触子７との距離がＬ２よりも短くなる範囲、すなわちアークが発生するおそれがある範囲では、ばね５に蓄勢された力を利用して可動接触子３を高速で移動させることが可能となる。したがって、アークが発生するおそれがある範囲では、可動接触子３を高速で移動させて、より短い時間で可動接触子３を固定接触子７に接触させることができるので、アークの発生時間の短縮化を図ることができる。
【００３９】
開閉装置１では、主回路に定常状態の電圧が印加されている状態でアークが発生するおそれがある範囲でのみ可動接触子３を高速で移動させているため、初期位置から投入位置まですべての範囲で可動接触子３を高速で移動させる場合に比べて、操作装置に要求されるエネルギーが小さくて済む。そのため、上述したようにプーリー等を用いて操作装置の小型化を図ることが可能となる。
【００４０】
また、金属体６２とシール部６３とが第１の領域７１と第２の領域７２との境界に至る位置が、可動接触子３と固定接触子７とが接触する直前となるように構成されることで、可動接触子３と固定接触子７とが接触する直前に可動接触子３の移動速度を低減させることが可能となる。これにより、高速に移動する可動接触子３が固定接触子７に接触する際の衝突荷重による可動接触子３または固定接触子７の破損を防ぐことができる。すなわち、開閉装置１では、アークが発生するおそれがある範囲では、可動接触子３を高速で移動させてアークの発生時間の短縮化を図りつつ、可動接触子３が固定接触子７に衝突する直前に可動接触子３を減速させて、可動接触子３と固定接触子７の保護を図ることができる。
【００４１】
図６は、実施の形態１の変形例１にかかる開閉装置１の概略構成を示す断面図である。図７は、実施の形態１の変形例１にかかる開閉装置１の概略構成を示す断面図であって、金属体６２およびシール部６３が第２の領域７２を通過する状態を示す図である。
【００４２】
本変形例１にかかる開閉装置１では、フレーム４の開口４ａと可動接触子３の先端部との隙間を閉塞する閉塞部６４が開口４ａに取り付けられている。閉塞部６４は、例えばゴムで形成される。閉塞部６４は、必ずしも可動接触子３の先端部に接触している必要はなく、可動接触子３の先端部との間に隙間が形成されていてもよい。閉塞部６４が設けられることで、可動接触子３の先端部と開口４ａとの間を通って絶縁ガスが移動しにくくなる。
【００４３】
図７に示すように、可動接触子３が矢印Ｘに示す方向に移動して金属体６２とシール部６３とが第２の領域７２を通過して、金属体６２よりも矢印Ｘ側でフレーム４と金属体６２とに囲まれた空間の体積が縮小する際に、可動接触子３の先端部と開口４ａとの間を絶縁ガスが通過しにくいため、絶縁ガスが圧縮される際の反力が大きくなる。したがって、本変形例１にかかる開閉装置１では、可動接触子３が固定接触子７に衝突する直前に可動接触子３をより大きく減速させて、可動接触子３と固定接触子７の保護を図ることができる。
【００４４】
図８は、実施の形態１の変形例２にかかる開閉装置１の概略構成を示す断面図である。図９は、実施の形態１の変形例２にかかる開閉装置１の概略構成を示す断面図であって、金属体６２およびシール部６３が第２の領域７２を通過する状態を示す図である。
【００４５】
本変形例２にかかる開閉装置１では、矢印Ｘに示す方向側から矢印Ｙに示す方向側に貫通する貫通孔６２ａが金属体６２に形成されている。図９に示すように、可動接触子３が矢印Ｘに示す方向に移動して金属体６２とシール部６３とが第２の領域７２を通過して、金属体６２よりも矢印Ｘ側でフレーム４と金属体６２とに囲まれた空間の体積が縮小する際に、絶縁ガスが貫通孔６２ａを通って移動することができる。したがって、貫通孔６２ａを大きくして絶縁ガスを移動しやすくすれば、絶縁ガスが圧縮される際の反力を小さくして、可動接触子３の減速効果を抑えることができる。また、貫通孔６２ａを小さくして絶縁ガスを移動しにくくすれば、絶縁ガスが圧縮される際の反力を大きくして、可動接触子３の減速効果を高めることができる。このように、金属体６２に形成される貫通孔６２ａの大きさによって、可動接触子３の減速効果を調節することが可能となる。
【００４６】
図１０は、実施の形態１の変形例３にかかる開閉装置１の概略構成を示す断面図である。図１１は、実施の形態１の変形例３にかかる開閉装置１の概略構成を示す断面図であって、金属体６２およびシール部６３が第１の領域７１を通過する状態を示す図である。図１２は、実施の形態１の変形例３にかかる開閉装置１の概略構成を示す断面図であって、金属体６２およびシール部６３が第２の領域７２を通過する状態を示す図である。
【００４７】
本変形例３にかかる開閉装置１では、矢印Ｘに示す方向側となる可動接触子３の端部３ｃから、金属体６２が第１の磁石６１から離れた第２の状態において金属体６２よりも矢印Ｙに示す方向側となる部分に貫通する貫通路３ｄが形成されている。また、フレーム４の壁面のうち、第１の領域７１と第２の領域７２との境界となる壁面には、フレーム４の内部と外部とを連通させる連通孔４ｂが形成されている。
【００４８】
図１１に示すように、可動接触子３が矢印Ｘに示す方向に移動して、端部３ｃが固定接触子７に近づくと、主回路に定常状態の電圧が印加されている場合には端部３ｃでアーク６５が発生する。発生したアーク６５によって絶縁ガスが加熱されて膨張する。膨張された絶縁ガスは、矢印Ｚに示すように貫通路３ｄを通って金属体６２よりも矢印Ｙに示す方向側の空間に流入する。また、金属体６２よりも矢印Ｘ側となる空間で圧縮された絶縁ガスは、連通孔４ｂを通過してフレーム４の外部に流出する。これにより、金属体６２よりも矢印Ｘに示す方向側となる空間よりも、金属体６２よりも矢印Ｙに示す方向側となる空間のほうが内部の圧力が高くなる。この２つの空間の圧力差が、金属体６２および可動接触子３を矢印Ｘに示す方向に移動させる力となる。可動接触子３は、ばね５に蓄えられた力に加えて、２つの空間の圧力差によって矢印Ｘに示す方向に移動することになり、より高速な移動が可能となる。可動接触子３がより高速に移動することで、アーク６５の発生時間の短縮化を図ることができる。
【００４９】
図１１に示す状態からさらに可動接触子３が矢印Ｘに示す方向に金属体６２および可動接触子３が移動して、図１２に示すように第１の領域７１と第２の領域７２の境界となる部分を越えて金属体６２が第２の領域７２を通過する状態になると、連通孔４ｂの位置が金属体６２よりも矢印Ｙに示す方向側となる。これにより、貫通路３ｄを通って金属体６２よりも矢印Ｙに示す方向側となる空間に流入した絶縁ガスが、連通孔４ｂからフレーム４の外部に流出するようになる。
【００５０】
一方、金属体６２よりも矢印Ｘに示す方向側となる空間では、金属体６２の移動によって圧縮された絶縁ガスが連通孔４ｂから流出できないため絶縁ガスが圧縮される。したがって、金属体６２が第２の領域７２を通過する状態では、絶縁ガスが圧縮される際の反力によって、可動接触子３を減速させて、可動接触子３と固定接触子７の保護を図ることができる。また、油圧を利用した減速装置等を設ける必要が無いため、タンク内での油漏れによる短絡事故が発生するおそれもない。
【００５１】
実施の形態２．
図１３は、本発明の実施の形態２にかかる開閉装置の概略構成を示す断面図である。図１４〜図１６は、実施の形態２にかかる開閉装置での投入動作を説明する断面図である。なお、上記実施の形態１と同様の構成については、同様の符号を付して詳細な説明を省略する。また、図１４〜図１６では、操作装置の記載を省略している。
【００５２】
実施の形態２にかかる開閉装置５１では、可動接触子３が矢印Ｘに示す方向に移動する際に可動接触子３とともに移動する移動部は、可動接触子３に形成された張出部３ｂおよび張出部３ｂの周囲に設けられたシール部６６を有して構成されている。また、実施の形態２にかかる開閉装置５１では、ラッチ部６がフレーム４の内部に固定されている。
【００５３】
ラッチ部６には、可動接触子３の先端部は通過可能であるが、可動接触子３の張出部３ｂは通過できない通過口が形成されている。ラッチ部６は、複数の部材で構成され、その複数の部材の隙間で通過口が形成されている。なお、ラッチ部６が円環状の部材で構成され、その中心に形成された開口で通過口が形成されてもよい。
【００５４】
図１４に示すように、可動接触子３が初期位置から矢印Ｘに示す方向に移動していくと、可動接触子３の張出部３ｂがラッチ部６に当接することで、可動接触子３がそれ以上矢印Ｘに示す方向に移動することが規制される。
【００５５】
ラッチ部６は、図１６に示すように、ラッチ部６が倒れて姿勢が変化して、第２の状態となることで、ラッチ部６と張出部３ｂとの当接が解除される。ラッチ部６と張出部３ｂとの当接が解除されることで、矢印Ｘに示す方向への可動接触子３の移動が可能となる。ラッチ部６を第２の状態にするタイミングは、図１５に示すようにばね５が圧縮されて力が蓄えられたときである。
【００５６】
本実施の形態２においても、第１の領域７１と第２の領域７２が設けられることで、アークが発生するおそれがある範囲では、可動接触子３を高速で移動させてアークの発生時間の短縮化を図りつつ、可動接触子３が固定接触子７に衝突する直前に可動接触子３を減速させて、可動接触子３と固定接触子７の保護を図ることができる。
【００５７】
なお、ラッチ部６の第１の状態から第２の状態への切り替えおよび第２の状態から第１の状態への切り替え、すなわちラッチ部６の姿勢の変化は、可動体２の位置またはモータ１４の回転角度等に基づいて送信される電気的な信号に基づいて実施されるものであってもよいし、可動体２の位置等に基づいた機械的作用によって実施されるものであってもよい。
【００５８】
また、上記実施の形態１で説明した各種構成を組み合わせたり、実施の形態２で説明した構成を組み合わせたりすることが可能である。例えば、図６に示した閉塞部６４と、図８に示した貫通孔６２ａの両方を備えた開閉装置としてもよいし、図１０に示した貫通路３ｄおよび連通孔４ｂと、図１３に示したラッチ部６とを有する開閉装置としてもよい。
【００５９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６０】
１，５１  開閉装置、２  可動体、２ａ  穴、２ｂ  溝、３  可動接触子、３ａ  溝、３ｂ  張出部、３ｃ  端部、３ｄ  貫通路、４  フレーム、４ａ  開口、４ｂ  連通孔、５  ばね、６  ラッチ部、７  固定接触子、７ａ  接点部、８  レバー、８ａ  軸、８ｂ，９  ピン、１１  第１のプーリー、１２  第２のプーリー、１３  ワイヤ機構、１３ａ  可撓性外被、１３ｂ  ワイヤ、１４  モータ、１５  第１のベース、１６  第２のベース、３１  第２の磁石、６１  第１の磁石、６２  金属体、６２ａ  貫通孔、６３  シール部、６４  閉塞部、６５  アーク、７１  第１の領域、７２  第２の領域。
【要約】
開閉装置（１）は、往復移動が可能に設けられた可動体（２）と、可動体（２）に連結されて往復移動が可能とされた可動接触子（３）と、可動接触子（３）を付勢する付勢部（５）と、可動接触子（３）の移動を規制する第１の状態と、移動を許容する第２の状態とに切替え可能なラッチ部（６）と、可動体（２）および可動接触子（３）を内部に収容する収容部（４）と、収容部（４）の外側に設けられた固定接触子（７）と、可動接触子（３）とともに移動する移動部（６２）と、を備える。可動接触子（３）が付勢部（５）の付勢力に抗して移動した際にラッチ部（６）が第２の状態に切り替えられる。収容部（４）は、移動部（６２）が移動する範囲において第１の領域（７１）と第１の領域（７１）よりも固定接触子（７）側となる第２の領域（７２）とを内部に有する。第１の領域（７１）の内径よりも第２の領域（７２）の内径のほうが小さい。【図１】
0006338805.tif 000002
【図２】
0006338805.tif 000003
【図３】
0006338805.tif 000004
【図４】
0006338805.tif 000005
【図５】
0006338805.tif 000006
【図６】
0006338805.tif 000007
【図７】
0006338805.tif 000008
【図８】
0006338805.tif 000009
【図９】
0006338805.tif 000010
【図１０】
0006338805.tif 000011
【図１１】
0006338805.tif 000012
【図１２】
0006338805.tif 000013
【図１３】
0006338805.tif 000014
【図１４】
0006338805.tif 000015
【図１５】
0006338805.tif 000016
【図１６】
0006338805.tif 000017